(57)【要約】【課題】端末装置および基地局装置が互いに、効率的に通信をすること【解決手段】端末装置は、２ステップ−ランダムアクセス手順を制御し、前記２ステップ−ランダムアクセス手順の第１のステップとして、ランダムアクセスプリアンブルとデータを送信し、（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される。【選択図】図４
2020047964.tif 000002
【特許請求の範囲】
【請求項１】
２ステップ−ランダムアクセス手順を制御する上位層処理部と、
前記２ステップ−ランダムアクセス手順の第１のステップとして、ランダムアクセスプリアンブルとデータを送信する送信部と、を備え、
（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される
端末装置。
【請求項２】
２ステップ−ランダムアクセス手順を制御する上位層処理部と、
前記２ステップ−ランダムアクセス手順の第１のステップとして、ランダムアクセスプリアンブルとデータを受信する受信部と、を備え、
（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される
基地局装置。
【請求項３】
端末装置に用いられる通信方法であって、
２ステップ−ランダムアクセス手順を制御し、
前記２ステップ−ランダムアクセス手順の第１のステップとして、ランダムアクセスプリアンブルとデータを送信し、
（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される
通信方法。
【請求項４】
基地局装置に用いられる通信方法であって、
２ステップ−ランダムアクセス手順を制御し、
前記２ステップ−ランダムアクセス手順の第１のステップとして、ランダムアクセスプリアンブルとデータを受信し、
（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される
通信方法。
【請求項５】
２ステップ−ランダムアクセス手順を制御する上位層処理部と、
前記２ステップ−ランダムアクセス手順の第１のステップとして、ランダムアクセスプリアンブルとデータを送信する送信部と、を備え、
前記上位層処理部は、（１）ランダムアクセスプリアンブルの複数のグループのうちの何れか１つのグループを選択し、（２）前記選択したグループの中から前記ランダムアクセスプリアンブルを選択し、（３）複数の送信パラメータの中から前記選択したグループ
に対応する送信パラメータを選択し、
前記データの送信は、前記選択した送信パラメータに基づく
端末装置。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
非特許文献６において、初期アクセス手順、および、ランダムアクセス手順の遅延および／またはオーバーヘッドの削減のための技術を検討することが提案されている（非特許文献６）。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"Motivation for new SI proposal: Enhancements to initial access and scheduling for low-latency LTE", RP-162295, 5th December 2016.
【発明の概要】
【発明が解決しようとする課題】
【０００５】
本発明は、基地局装置とのランダムアクセスを効率的に実行することができる端末装置、該端末装置と通信する基地局装置、該端末装置に用いられる通信方法、該基地局装置に用いられる通信方法、該端末装置に実装される集積回路、該基地局装置に実装される集積回路を提供する。
【課題を解決するための手段】
【０００６】
（１）本発明の態様は、以下のような手段を講じた。すなわち、本発明の第１の態様は、端末装置であって、ランダムアクセス手順を実行する上位層処理部と、物理チャネルを受信する受信部と、を備え、前記ランダムアクセス手順は、２ステップコンテンションベースランダムアクセス手順、４ステップコンテンションベースランダムアクセス手順、および、非コンテンションベースランダムアクセス手順を含み、前記物理チャネルは、前記４ステップ−コンテンションベースランダムアクセス手順、および、前記非コンテンションベースランダムアクセス手順の何れかの開始を指示し、前記上位層処理部は、前記物理チャネルに基づいて、前記４ステップコンテンションベースランダムアクセス手順、および、前記非コンテンションベースランダムアクセス手順の何れかを開始する。
【０００７】
（２）本発明の第２の態様は、端末装置であって、２ステップ−ランダムアクセス手順を制御する上位層処理部と、前記２ステップ−ランダムアクセス手順の第１のステップとして、ランダムアクセスプリアンブルとデータを送信する送信部と、を備え、前記データは、前記ランダムアクセスプリアンブルに関する情報を含み、前記ランダムアクセスプリアンブルに関する情報は、以下の情報Ａから情報Ｃの一部、または、全部を含む。
・情報Ａ：前記ランダムアクセスプリアンブルのインデックスを示すための情報
・情報Ｂ：前記ランダムアクセスプリアンブルの送信のためのリソースを示すための情報・情報Ｃ：前記ランダムアクセスプリアンブルの系列に関する情報
（３）本発明の第３の態様は、基地局装置であって、２ステップ−ランダムアクセス手順を制御する上位層処理部と、前記２ステップ−ランダムアクセス手順の第１のステップとして、ランダムアクセスプリアンブルとデータを受信する受信部と、を備え、前記データは、前記ランダムアクセスプリアンブルに関する情報を含む。
【０００８】
前記ランダムアクセスプリアンブルに関する情報は、以下の情報Ａから情報Ｃの一部、または、全部を含む
・情報Ａ：前記ランダムアクセスプリアンブルのインデックスを示すための情報
・情報Ｂ：前記ランダムアクセスプリアンブルの送信のためのリソースを示すための情報・情報Ｃ：前記ランダムアクセスプリアンブルの系列に関する情報
（４）本発明の第４の態様は、端末装置であって、２ステップ−ランダムアクセス手順を制御する上位層処理部と、前記２ステップ−ランダムアクセス手順の第１のステップとして、ランダムアクセスプリアンブルとデータを送信する送信部と、を備え、（１）前記データを含む物理チャネルのスクランブリングのために用いられるスクランブル系列の初期化に関するパラメータと（２）前記データを含む前記物理チャネルに関連する復調参照信号（ＤＭＲＳ）の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される。
【０００９】
（５）本発明の第５の態様は、基地局装置であって、２ステップ−ランダムアクセス手順を制御する上位層処理部と、前記２ステップ−ランダムアクセス手順の第１のステップとして、ランダムアクセスプリアンブルとデータを受信する受信部と、を備え、（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される。
【００１０】
（６）本発明の第６の態様は、端末装置であって、２ステップ−ランダムアクセス手順を制御する上位層処理部と、前記２ステップ−ランダムアクセス手順の第１のステップとして、ランダムアクセスプリアンブルとデータを送信する送信部と、を備え、前記上位層処理部は、（１）ランダムアクセスプリアンブルの複数のグループのうちの何れか１つのグループを選択し、（２）前記選択したグループの中から前記ランダムアクセスプリアンブルを選択し、（３）複数の送信パラメータの中から前記選択したグループに対応する送信パラメータを選択し、前記データの送信は、前記選択した送信パラメータに基づく。
【発明の効果】
【００１１】
この発明によれば、端末装置および基地局装置は、効率的にランダムアクセス手順を実行することができる。
【図面の簡単な説明】
【００１２】
【図１】本実施形態の無線通信システムの概念図である。
【図２】本実施形態の無線フレームの概略構成を示す図である。
【図３】本実施形態の上りリンクスロットの概略構成を示す図である。
【図４】本実施形態の端末装置１の構成を示す概略ブロック図である。
【図５】本実施形態のターゲット基地局装置３Ｂの構成を示す概略ブロック図である。
【図６】本実施形態における４ステップコンテンションベースランダムアクセス手順の一例を示す図である。
【図７】本実施形態における２ステップコンテンションベースランダムアクセス手順の一例を示す図である。
【図８】本実施形態における２ステップコンテンションベースランダムアクセス手順の変形例を示す図である。
【図９】本実施形態における非コンテンションベースランダムアクセス手順の一例を示す図である。
【図１０】本実施形態におけるイベントとランダムアクセス手順の形態の対応の一例を示す図である。
【図１１】本実施形態におけるイベントとランダムアクセス手順の形態の対応の別の例を示す図である。
【図１２】本実施形態の２ステップコンテンションベースランダムアクセス手順における、ランダムアクセスプリアンブルの送信のためのリソースのセットと、メッセ―ジＸの送信のための送信パラメータと、ランダムアクセスプリアンブルのグループの対応の一例を示す図である。
【図１３】本実施形態の２ステップコンテンションベースランダムアクセス手順における、ランダムアクセスプリアンブル、および、メッセ―ジＸの送信のための送信パラメータの対応の一例を示す図である。
【図１４】本実施形態の２ステップコンテンションベースランダムアクセス手順における、ランダムアクセスプリアンブルのグループ、および、メッセ―ジＸの送信のための送信パラメータの対応の一例を示す図である。
【図１５】本実施形態の２ステップコンテンションベースランダムアクセス手順における、ランダムアクセスプリアンブル、および、メッセ―ジＸの送信のための送信パラメータの対応の別の例を示す図である。
【図１６】本実施形態における２ステップコンテンションベースランダムアクセス手順の一例を示す図である。
【図１７】本実施形態におけるランダムアクセスレスポンスおよび／またはコンテンションリゾリューションを含むトランスポートブロックの一例を示す図である。
【図１８】本実施形態におけるランダムアクセス手順のためのランダムアクセスプリアンブルのグループの一例を示す図である。
【図１９】本実施形態におけるランダムアクセス手順のためのランダムアクセスプリアンブルのグループの別の例を示す図である。
【発明を実施するための形態】
【００１３】
以下、本発明の実施形態について説明する。
【００１４】
図１は、本実施形態の無線通信システムの概念図である。図１において、無線通信システムは、端末装置１、および、基地局装置３を具備する。基地局装置３は、ソース基地局装置３Ａ、ターゲット基地局装置３Ｂ、および、ＭＭＥ（Mobility Management Entity）／ＧＷ（Gateway）を含む。Ｕｕは端末装置１と基地局装置３の間の無線アクセスリンク
である。Ｕｕは、端末装置１から基地局装置３への上りリンク、および、基地局装置３から端末装置１への下りリンクを含む。Ｘ２は、ソース基地局装置３Ａとターゲット基地局装置３Ｂの間のバックホールリンクである。Ｓ１は、ソース基地局装置３Ａ／ターゲット基地局装置３ＢとＭＭＥ／ＧＷの間のバックホールリンクである。
【００１５】
端末装置１は、ソース基地局装置３Ａからターゲット基地局装置３Ｂにハンドオーバしてもよい。端末装置１は、ソースセルからターゲットセルにハンドオーバしてもよい。ソースセルは、ソース基地局装置３Ａによって管理されてもよい。ターゲットセルは、ターゲット基地局装置３Ｂによって管理されてもよい。ソース基地局装置３Ａ、および、ターゲット基地局装置３Ｂは、同じ装置であってもよい。すなわち、端末装置１は、ソース基地局装置３Ａが管理するソースセルから、当該ソース基地局装置３Ａが管理するターゲットセルにハンドオーバしてもよい。ソースセルは、ソースプライマリーセルとも称する。ターゲットセルを、ターゲットプライマリーセルとも称する。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００１８】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセルとも称する。
【００１９】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、ＲＲＣコネクション再確立（Radio Resource Control connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２０】
プライマリーセルは、ソースプライマリーセル、および、ターゲットプライマリーセルを含んでもよい。
【００２１】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２２】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２３】
端末装置に対してＤＣが設定されている場合、ＭＣＧ（Master Cell Group）は全ての
サービングセルのサブセットであり、且つ、ＳＣＧ（Secondary Cell Group）はＭＣＧの一部ではないサービングセルのサブセットである。端末装置に対してＤＣが設定されていない場合、ＭＣＧは全てのサービングセルを含む。ＭＣＧは、プライマリーセル、および、０または０より多いセカンダリーセルを含む。ＳＣＧは、プライマリーセカンダリーセ
ル、および、０または０より多いセカンダリーセルを含む。
【００２４】
ＭＣＧは、１つのプライマリーＴＡＧ、および、０または０より多いセカンダリーＴＡＧを含んでもよい。ＳＣＧは、１つのプライマリーＴＡＧ、および、０または０より多いセカンダリーＴＡＧを含んでもよい。
【００２５】
ＴＡＧ（Timing Advance Group）は、ＲＲＣ（Radio Resource Control）によって設定されるサービングセルのグループである。同じＴＡＧに含まれるサービングセルに対して、同じタイミングアドバンスの値が適用される。タイミングアドバンスは、サービングセルにおけるＰＵＳＣＨ／ＰＵＣＣＨ／ＳＲＳ／ＤＭＲＳの送信タイミングを調整するために用いられる。ＭＣＧのプライマリーＴＡＧは、プライマリーセル、および、０または０より多いセカンダリーセルを含んでもよい。ＳＣＧのプライマリーＴＡＧは、プライマリーセカンダリーセル、および、０または０より多いセカンダリーセルを含んでもよい。セカンダリーＴＡＧは、１または１より多いセカンダリーセルを含んでもよい。セカンダリーＴＡＧは、プライマリーセル、および、プリマリーセカンダリーセルを含まない。
【００２６】
図２は、本実施形態の無線フレームの概略構成を示す図である。図２において、横軸は時間軸である。
【００２７】
時間領域における種々のフィールドのサイズは、時間ユニットTs=1/(15000・2048)秒の数によって表現される。無線フレームの長さは、Tf=307200・Ts=10ms (ミリ秒)である。
それぞれの無線フレームは、時間領域において連続する１０のサブフレームを含む。それぞれのサブフレームの長さは、Tsubframe=30720・Ts=1msである。それぞれのサブフレー
ムｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。サブフレームを、ＴＴＩ（Transmission Time Interval）とも称する。
【００２８】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access
）シンボル番号／インデックスであり、ｋはサブキャリア番号／インデックスである。
【００２９】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。本実施形態において、リソースは周波数−時間リソースを意味する。
【００３０】
リソースグリッドは、アンテナポート毎に定義される。本実施形態では、１つのアンテナポートに対する説明を行う。複数のアンテナポートのそれぞれに対して、本実施形態が適用されてもよい。
【００３１】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。ノーマルＣＰ（normal Cyclic Prefix）に対して、NULsymbは７で
ある。拡張ＣＰ（extended Cyclic Prefix）に対して、NULsymbは６である。
【００３２】
上りリンクスロットは、周波数領域において、複数のサブキャリアｋ（k=0,1,…,NULRB
×NRBsc)を含む。NULRBは、NRBscの倍数によって表現される、サービングセルに対する
上りリンク帯域幅設定である。NRBscは、サブキャリアの数によって表現される、周波数
領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００３３】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００３４】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて同じであるため、下りリンクのスロットの構成の説明は省略する。
【００３５】
本実施形態の物理チャネルおよび物理シグナルについて説明する。
【００３６】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＨＡＲＱフィードバック、ＨＡＲ
Ｑ情報、ＨＡＲＱ制御情報、および、ＡＣＫ／ＮＡＣＫとも称する。
【００３７】
ＰＵＳＣＨは、上りリンクデータ（Uplink-Shared Channel: UL-SCH）を送信するため
に用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３８】
ＰＲＡＣＨは、ランダムアクセスプリアンブル（ランダムアクセスメッセージ１）を送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整
）、およびＰＵＳＣＨ（ＵＬ−ＳＣＨ）リソースの要求を示すために用いられる。
【００３９】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成される。１つのセルにおいて、複数のランダムアクセスプリアンブルが定義されてもよい。ランダムアクセスプリアンブルは、ランダムアクセスプリアンブルのインデックスによって特定されてもよい。ランダムアクセスプリアンブルの異なるインデックスに対応する異なるランダムアクセスプリアンブルは、物理ルートシーケンスインデックスｕとサイクリックシフトの異なる組み合わせに対応する。物理ルートシーケンスインデックスｕ、および、サイクリックシフトは、システムインフォメーションに含まれる情報に少なくとも基づいて与えられてもよい。
【００４０】
物理ルートシーケンスインデックスｕに対応するＺａｄｏｆｆ−Ｃｈｕ系列ｘｕ（ｎ）は、以下の数式（１）によって与えられる。ｅはネイピア数である。ＮＺＣは、Ｚａｄｏｆｆ−Ｃｈｕ系列ｘｕ（ｎ）の長さである。ｎは、０からＮＺＣ−１までインクリメントされる整数である。
【００４１】
【数１】
2020047964.tif 000003
ランダムアクセスプリアンブル（ランダムアクセスプリアンブルの系列）ｘｕ，ｖ（ｎ）は以下の数式（２）によって与えられる。Ｃｖは、サイクリックシフトの値である。Ｘ
ｍｏｄ  Ｙは、ＸをＹで割ったときの余りを出力する関数である。
【００４２】
【数２】
2020047964.tif 000004
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４３】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４４】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる
。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの
初期送信が行なわれ、他の全ての無線フレームにおけるサブフレーム０においてＭＩＢの再送信（repetition）が行なわれる。ＳＦＮ（system frame number）は無線フレームの
番号である。ＭＩＢはシステム情報である。例えば、ＭＩＢは、ＳＦＮを示す情報を含む。
【００４５】
ＰＣＦＩＣＨは、ＰＤＣＣＨの送信に用いられる領域（ＯＦＤＭシンボル）を指示する情報を送信するために用いられる。
【００４６】
ＰＨＩＣＨは、基地局装置３が受信した上りリンクデータ（Uplink Shared Channel: UL-SCH）に対するＨＡＲＱインディケータを送信するために用いられる。ＨＡＲＱインデ
ィケータは、ＨＡＲＱ−ＡＣＫを示す。
【００４７】
ＰＤＣＣＨおよびＥＰＤＣＣＨは、下りリンク制御情報（Downlink Control Information: DCI）を送信するために用いられる。下りリンク制御情報を、ＤＣＩフォーマットと
も称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４８】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４９】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００５０】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、ＳＰＳ（Semi Persistent Scheduling）Ｃ−ＲＮＴＩ、ＲＡ−ＲＮＴＩ（Random Access-Radio Network Temporary Identifier）によってスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセスプロシージャの間に用いられる。ＲＡ−ＲＮＴＩは、ランダムアクセスレスポンスのスケジューリングのために用いられる。ＲＮＴＩによってスクランブルされたＣＲＣパリティビットが付加された上りリンクグラントを、ＲＮＴＩに対する上りリンクグラント、ＲＮＴＩに対応する上りリンクグラントとも称する。ＲＮＴＩによってスクランブルされたＣＲＣパリティビットが付加された上りリンクグラントを含むＰＤＣＣＨを、ＲＮＴＩに対するＰＤＣＣＨ、ＲＮＴＩに対応するＰＤＣＣＨ、ＲＮＴＩ宛てのＰＤＣＣＨ、ＲＮＴＩを含むＰＤＣＣＨとも称する。
【００５１】
Ｃ−ＲＮＴＩは、１つのサブフレームにおけるＰＤＳＣＨまたはＰＵＳＣＨを制御するために用いられる。端末装置１は、Ｃ−ＲＮＴＩによってスクランブルされたＣＲＣパリティビットが付加される上りリンクグラントを含むＰＤＣＣＨの検出に基づいて、トランスポートブロックを含むＰＵＳＣＨを送信してもよい。該トランスポートブロックの再送信は、Ｃ−ＲＮＴＩによってスクランブルされたＣＲＣパリティビットが付加される上りリンクグラントを含むＰＤＣＣＨによって指示されてもよい。
【００５２】
ＳＰＳ  Ｃ−ＲＮＴＩは、ＰＤＳＣＨまたはＰＵＳＣＨのリソースを周期的に割り当てるために用いられる。端末装置１は、ＳＰＳ  Ｃ−ＲＮＴＩによってスクランブルされたＣＲＣパリティビットが付加される上りリンクグラントを含むＰＤＣＣＨの検出し、該上りリンクグラントがＳＰＳ活性化コマンドとして有効であると判断された場合、該上りリンクグラントを設定された上りリンクグラント（configured uplink grant）としてスト
アする。端末装置１のＭＡＣ層は、該設定された上りリンクグラントが周期的に発生するとみなす。該設定された上りリンクグラントが発生するとみなされるサブフレームは、第１の周期と第１のオフセットによって与えられる。端末装置１は、基地局装置３から、該第１の周期を示す情報を受信する。該周期的に割り当てられるＰＵＳＣＨで送信されたトランスポートブロックの再送信は、ＳＰＳ  Ｃ−ＲＮＴＩによってスクランブルされたＣＲＣパリティビットが付加される上りリンクグラントによって指示される。該設定された上りリンクグラントを、ＭＡＣ（Medium Access Control）によって設定された上りリン
クグラント、または、第１の設定された上りリンクグラントとも称する。
【００５３】
ＰＤＳＣＨは、下りリンクデータ（Downlink Shared Channel: DL-SCH）を送信するた
めに用いられる。ＰＤＳＣＨは、ランダムアクセスメッセージ２（ランダムアクセスレスポンス）を送信するために用いられる。ＰＤＳＣＨは、ハンドオーバコマンドを送信するために用いられる。ＰＤＳＣＨは、初期アクセスのために用いられるパラメータを含むシステム情報を送信するために用いられる。
【００５４】
ＰＭＣＨは、マルチキャストデータ（Multicast Channel: MCH）を送信するために用いられる。
【００５５】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。同期信号は、ＰＳＳ（Primary Synchronization Signal）、および、ＳＳＳ（Second Synchronization Signal）を含む。
【００５６】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５７】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００５８】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００５９】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。
【００６０】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００６１】
以下、本実施形態における装置の構成について説明する。
【００６２】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【００６３】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００６４】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【００６５】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００６６】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００６７】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００６８】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００６９】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００７０】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力
制御部とも称する。
【００７１】
図５は、本実施形態のターゲット基地局装置３Ｂの構成を示す概略ブロック図である。図示するように、ターゲット基地局装置３Ｂは、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。ソース基地局装置３Ａの構成は、ターゲット基地局装置３Ｂの構成と同じでもよい。
【００７２】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７３】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。上位層処理部３４は他の基地局装置、および、ＭＭＥ／ＧＷ３Ｃに情報を送信してもよい。上位層処理部３４は他の基地局装置、および、ＭＭＥ／ＧＷ３Ｃから情報を受信してもよい。
【００７４】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００７５】
無線送受信部３０の機能は、無線送受信部１０と同様であるため説明を省略する。
【００７６】
端末装置１が備える符号１０から符号１６が付された部のそれぞれは、回路として構成されてもよい。基地局装置３が備える符号３０から符号３６が付された部のそれぞれは、回路として構成されてもよい。
【００７７】
以下、ランダムアクセス手順について詳しく説明をする。ランダムアクセス手順は、コンテンションベースランダムアクセス手順（contention based random access procedure）、および、非コンテンションベースランダムアクセス手順（non-contention based random access procedure）を含む。コンテンションベースランダムアクセス手順は、２ステップコンテンションベースランダムアクセス手順（2 step contention based random access procedure）、および、４ステップコンテンションベースランダムアクセス手順（4 step contention based random access procedure）を含む。
【００７８】
図６は、本実施形態における４ステップコンテンションベースランダムアクセス手順の一例を示す図である。４ステップコンテンションベースランダムアクセス手順は、第１のステップ（６００）、第２のステップ（６０２）、第３のステップ（６０４）、および、第４のステップ（６０６）を含む。
【００７９】
第１のステップ（６００）において、端末装置１は、ランダムアクセスプリアンブルを送信する。ランダムアクセスプリアンブルは、ＰＲＡＣＨに含まれる。第１のステップ（６００）において、端末装置１のＭＡＣ層自身が、ランダムアクセスプリアンブルのインデックスを選択する。すなわち、第１のステップ（６００）において、基地局装置３は、ランダムアクセスプリアンブルのインデックスを端末装置１に通知しない。
【００８０】
第２のステップ（６０２）において、端末装置１は、ランダムアクセスレスポンスを受信する。ランダムアクセスレスポンスは、ＰＤＳＣＨに含まれる。ここで、ランダムアクセスレスポンスを含むＰＤＳＣＨのスケジューリングのために、ＲＡ−ＲＮＴＩに対するＰＤＣＣＨが用いられる。ＲＡ−ＲＮＴＩの値は、第１のステップ（６００）においてランダムアクセスプリアンブルの送信のために用いられるＰＲＡＣＨのリソースに基づいて与えられてもよい。ランダムアクセスレスポンスは、ランダムアクセスプリアンブルのインデックスを示すランダムアクセスプリアンブル識別子、上りリンクグラント、Ｔｅｍｐｏｒａｒｙ  Ｃ−ＲＮＴＩを示す情報、および、タイミングアドバンスを示す情報を含む。端末装置１は、ランダムアクセスレスポンスが、第１のステップ（６００）において送信されたランダムアクセスプリアンブルに対応するランダムアクセスプリアンブル識別子を含んでいる場合、ランダムアクセスレスポンスの受信に成功したとみなす。
【００８１】
第３のステップ（６０４）において、端末装置１は、端末装置１の識別子を送信する。ここで、端末装置１の識別子はＣ−ＲＮＴＩであってもよい。端末装置１の識別子、または、Ｃ−ＲＮＴＩは、ＰＵＳＣＨに含まれる。ここで、端末装置１の識別子、または、Ｃ−ＲＮＴＩに対するＰＵＳＣＨは、ランダムアクセスレスポンスに含まれる上りリンクグラントによってスケジュールされる。
【００８２】
第４のステップ（６０６）において、端末装置１は、コンテンションリゾリューションを受信する。コンテンションリゾリューションは、ＵＥコンテンションリゾリューション識別子、または、Ｃ−ＲＮＴＩであってもよい。端末装置１が第３のステップ（６０４）のＰＵＳＣＨにおいてＣ−ＲＮＴＩを送信しており、且つ、端末装置１がＣ−ＲＮＴＩに対するＰＤＣＣＨを受信した場合、端末装置１はコンテンションリゾリューションに成功したとみなしてもよく、且つ、ランダムアクセス手順が成功裏に完了したとみなしてもよい。
【００８３】
ＵＥコンテンションリゾリューション識別子を示す情報は、ＰＤＳＣＨに含まれる。ここで、当該ＰＤＳＣＨのスケジューリングのために、Ｔｅｍｐｏｒａｒｙ  Ｃ−ＲＮＴＩに対するＰＤＣＣＨが用いられる。（ｉ）端末装置１が第３のステップ（６０４）のＰＵＳＣＨにおいてＣ−ＲＮＴＩを送信していない、且つ、（ｉｉ）端末装置１が第３のステップ（６０６）のＰＵＳＣＨにおいて端末装置１の識別子を送信している、且つ、（ｉｉｉ）端末装置１がＴｅｍｐｏｒａｒｙ  Ｃ−ＲＮＴＩに対するＰＤＣＣＨを受信し、且つ、（ｉｖ）当該ＰＤＣＣＨによってスケジュールされるＰＤＳＣＨにＵＥコンテンションリゾリューション識別子を示す情報が含まれ、且つ、（ｖ）当該ＵＥコンテンションリゾリューション識別子と第３のステップ（６０６）において送信された端末装置１の識別子がマッチする場合、端末装置１はコンテンションリゾリューションに成功したとみなしてもよく、且つ、ランダムアクセス手順が成功裏に完了したとみなしてもよい。
【００８４】
図７は、本実施形態における２ステップコンテンションベースランダムアクセス手順の一例を示す図である。２ステップコンテンションベースランダムアクセス手順は、第１のステップ（７００）、および、第２のステップ（７０２）を含む。
【００８５】
第１のステップ（７００）において、ランダムアクセスプリアンブルと端末装置１の識
別子を送信する。ここで、端末装置１の識別子はＣ−ＲＮＴＩであってもよい。ランダムアクセスプリアンブルは、ＰＲＡＣＨに含まれてもよい。端末装置１の識別子は、ＰＵＳＣＨに含まれてもよい。ランダムアクセスプリアンブルと端末装置１の識別子は、同じ１つの物理チャネルに含まれてもよい。第１のステップ（７００）において、端末装置１のＭＡＣ層自身が、ランダムアクセスプリアンブルのインデックスを選択する。すなわち、第１のステップ（７００）において、基地局装置３は、ランダムアクセスプリアンブルのインデックスを端末装置１に通知しない。
【００８６】
第２のステップ（７０２）において、端末装置１は、コンテンションリゾリューションを受信する。コンテンションリゾリューションは、ＵＥコンテンションリゾリューション識別子、または、Ｃ−ＲＮＴＩであってもよい。端末装置１が第１のステップ（７００）においてＣ−ＲＮＴＩを送信しており、且つ、端末装置１がＣ−ＲＮＴＩを含むＰＤＣＣＨを受信した場合、端末装置１はコンテンションリゾリューションに成功したとみなしてもよく、且つ、ランダムアクセス手順が成功裏に完了したとみなしてもよい。
【００８７】
ＵＥコンテンションリゾリューション識別子は、ＰＤＳＣＨに含まれる。ここで、当該ＰＤＳＣＨのスケジューリングのために、Ｘ−ＲＮＴＩによってスクランブルされたＣＲＣが付加されたＤＣＩフォーマットが用いられてもよい。Ｘ−ＲＮＴＩは、第１のステップ（７００）においてランダムアクセスプリアンブルの送信のために用いられるリソース（ＰＲＡＣＨのリソース）、および／または、端末装置１の識別子の送信のために用いられるリソース（ＰＵＳＣＨのリソース）に少なくとも基づいて与えられてもよい。Ｘ−ＲＮＴＩは、ＲＡ−ＲＮＴＩであってもよい。
【００８８】
（ｉ）端末装置１が第１のステップ（７００）においてＣ−ＲＮＴＩを送信していない、且つ、（ｉｉ）端末装置１が第１のステップ（７００）において端末装置１の識別子を送信している、且つ、（ｉｉｉ）端末装置１がＸ−ＲＮＴＩに対するＰＤＣＣＨを受信し、且つ、（ｉｖ）当該ＰＤＣＣＨによってスケジュールされるＰＤＳＣＨにＵＥコンテンションリゾリューション識別子を示す情報が含まれ、且つ、（ｖ）当該ＵＥコンテンションリゾリューション識別子と第１のステップ（７００）において送信された端末装置１の識別子がマッチする場合、端末装置１はコンテンションリゾリューションに成功したとみなしてもよく、且つ、ランダムアクセス手順が成功裏に完了したとみなしてもよい。Ｘ−ＲＮＴＩに対するＰＤＣＣＨによってスケジュールされるＰＤＳＣＨは、上りリンクグラント、Ｃ−ＲＮＴＩを示す情報、および、タイミングアドバンスを示す情報の一部、または、全部を含んでもよい。すなわち、コンテンションリゾリューションは、上りリンクグラント、Ｃ−ＲＮＴＩを示す情報、および、タイミングアドバンスを示す情報の一部、または、全部を含んでもよい。Ｘ−ＲＮＴＩに対するＰＤＣＣＨによってスケジュールされるＰＤＳＣＨは、ランダムアクセスプリアンブルのインデックスを示す情報を含まなくてもよい。ここで、端末装置１は、Ｃ−ＲＮＴＩを、Ｃ−ＲＮＴＩを示す情報の値にセットしてもよい。
【００８９】
図８は、本実施形態における２ステップコンテンションベースランダムアクセス手順の変形例を示す図である。２ステップコンテンションベースランダムアクセス手順の変形例は、第１のステップ（８００）、第２のステップ（８０２）、第３のステップ（８０４）、および、第４のステップ（８０６）を含む。第１のステップ（８００）は、第１のステップ（７００）と同じである。第２のステップ（８０２）は第２のステップ（６０２）と同じである。第３のステップ（８０４）は、第３のステップ（６０４）と同じである。第４のステップ（８０６）は、第４のステップ（６０６）と同じである。すなわち、２ステップランダムアクセス手順の第１のステップの後に、２ステップコンテンションベースランダムアクセス手順から４ステップコンテンションベースランダムアクセス手順に移行してもよい。
【００９０】
第１のステップ（８００）において基地局装置３がランダムアクセスプリアンブルを検出し、且つ、端末装置１の識別子を検出できなかった場合、第２のステップ（８０２）において基地局装置３はランダムアクセスレスポンスを送信する。すなわち、２ステップランダムアクセス手順の第１のステップにおいて、基地局装置３がランダムアクセスプリアンブルを検出し、且つ、端末装置１の識別子を検出できなかった場合、基地局装置３によって４ステップランダムアクセス手順の第２のステップが開始されてもよい。２ステップランダムアクセス手順の第１のステップにおいて、基地局装置３がランダムアクセスプリアンブル、および、端末装置１の識別子を検出した場合、基地局装置３によって２ステップランダムアクセス手順の第２のステップが開始されてもよい。
【００９１】
端末装置１は、２ステップコンテンションベースランダムアクセス手順の第１のステップ（７００、８００）の後、第２のステップ（７０２）のコンテンションリゾリューション、および、第２のステップ（８０２）のランダムアクセスレスポンスをモニタしてもよい。すなわち、第２のステップ（７０２、８０２）において、端末装置１は、ランダムアクセスレスポンスに関連するＰＤＣＣＨ、および、コンテンションリゾリューションに関連するＰＤＣＣＨをモニタしてもよい。ランダムアクセスレスポンスに関連するＰＤＣＣＨは、ＲＡ−ＲＮＴＩに対するＰＤＣＣＨであってもよい。コンテンションリゾリューションに関連するＰＤＣＣＨは、Ｘ−ＲＮＴＩに対するＰＤＣＣＨであってもよい。
【００９２】
端末装置１は、４ステップコンテンションベースランダムアクセス手順の第１のステップ（６００）の後、第２のステップ（６０２）のランダムアクセスレスポンスをモニタしてもよい。すなわち、第２のステップ（６０２）において、端末装置１はランダムアクセスレスポンスに関連するＰＤＣＣＨをモニタしてもよい。第２のステップ（６０２）において、端末装置１はコンテンションリゾリューションをモニタしなくてもよい。すなわち、第２のステップ（６０２）において、端末装置１はコンテンションリゾリューションに関連するＰＤＣＣＨをモニタしなくてもよい。
【００９３】
図９は、本実施形態における非コンテンションベースランダムアクセス手順の一例を示す図である。非コンテンションベースランダムアクセス手順は、第０のステップ（９００）、第１のステップ（９０２）、および、第２のステップ（９０４）を含む。
【００９４】
第０のステップ（９００）において、端末装置１は、ランダムアクセスプリアンブルの割り当てを受信する。ランダムアクセスプリアンブルの割り当ては、ハンドオーバコマンド、または、Ｃ−ＲＮＴＩに対するＰＤＣＣＨに含まれてもよい。ランダムアクセスプリアンブルの割り当ては、ランダムアクセスプリアンブルのインデックスを示してもよい。ランダムアクセスプリアンブルの割り当てを含むＰＤＣＣＨを、ＰＤＣＣＨオーダ、または、ランダムアクセス手順の開始を指示するＰＤＣＣＨオーダとも称する。
【００９５】
第１のステップ（９０２）において、端末装置１は、ランダムアクセスプリアンブルの割り当てに基づいてランダムアクセスプリアンブルを選択し、選択したランダムアクセスプリアンブルを送信する。ランダムアクセスプリアンブルは、ＰＲＡＣＨに含まれる。第１のステップ（９０２）において、端末装置１のＭＡＣ層自身が、ランダムアクセスプリアンブルのインデックスを選択しない。
【００９６】
第２のステップ（９０４）において、端末装置１は、ランダムアクセスレスポンスを受信する。ランダムアクセスレスポンスは、ＰＤＳＣＨに含まれる。ここで、ランダムアクセスレスポンスを含むＰＤＳＣＨのスケジューリングのために、ＲＡ−ＲＮＴＩに対するＰＤＣＣＨが用いられる。ＲＡ−ＲＮＴＩの値は、第１のステップ（９００）においてランダムアクセスプリアンブルの送信のために用いられるＰＲＡＣＨのリソースに基づいて
与えられてもよい。ランダムアクセスレスポンスは、ランダムアクセスプリアンブルのインデックスを示すランダムアクセスプリアンブル識別子、上りリンクグラント、Ｔｅｍｐｏｒａｒｙ  Ｃ−ＲＮＴＩを示す情報、および、タイミングアドバンスを示す情報を含む。ランダムアクセスレスポンスが、第１のステップ（９００）において送信されたランダムアクセスプリアンブルに対応するランダムアクセスプリアンブル識別子を含んでいる場合、ランダムアクセスレスポンスの受信に成功したとみなす。端末装置１は、ランダムアクセスレスポンスが、第１のステップ（９００）において送信されたランダムアクセスプリアンブルに対応するランダムアクセスプリアンブル識別子を含んでおり、且つ、ランダムアクセスプリアンブルの割り当てが通知されており、且つ、ランダムアクセスプリアンブルのインデックスを端末装置１のＭＡＣ自身が選択していない場合、端末装置１はランダムアクセスプロシージャが成功裏に完了したとみなす。
【００９７】
第０のステップ（９００）において、ランダムアクセスプリアンブルの割り当てが第１の所定の値を示す場合、端末装置１は、４ステップコンテンションベースランダムアクセス手順を開始してもよい。すなわち、ランダムアクセスプリアンブルのインデックスを端末装置１のＭＡＣ自身が選択していない場合は、ランダムアクセスプリアンブルの割り当てが第１の所定の値ではない場合であってもよい。
【００９８】
第０のステップ（９００）において、ランダムアクセスプリアンブルの割り当てが第２の所定の値を示す場合、端末装置１は、２ステップコンテンションベースランダムアクセス手順を開始してもよい。すなわち、ランダムアクセスプリアンブルのインデックスを端末装置１のＭＡＣ自身が選択していない場合は、ランダムアクセスプリアンブルの割り当てが第１の所定の値、および、第２の所定の値の何れとも異なる場合であってもよい。
【００９９】
図１０は、本実施形態におけるイベントとランダムアクセス手順の形態の対応の一例を示す図である。ランダムアクセス手順は、（イベントｉ）ＲＲＣ＿ＩＤＬＥからの初期アクセス、（イベントｉｉ）ＲＲＣコネクション再確立、（イベントｉｉｉ）ハンドオーバ、（イベントｉｖ）ＲＲＣ＿ＣＯＮＮＥＣＴＥＤの間の下りリンクデータアライバル、（イベントｖ）ＲＲＣ＿ＣＯＮＮＥＣＴＥＤの間の上りリンクデータアライバル、および、（イベントｖｉ）セカンダリーＴＡＧのための時間調整のために実行される。（イベントｉｖ）ＲＲＣ＿ＣＯＮＮＥＣＴＥＤの間の下りリンクデータアライバルのためのランダムアクセス手順は、上りリンク同期のステータスが非同期である場合に実行されてもよい。（イベントｖ）ＲＲＣ＿ＣＯＮＮＥＣＴＥＤの間の上りリンクデータアライバルのためのランダムアクセス手順は、上りリンク同期のステータスが非同期である場合、または、スケジューリングリクエストのためのＰＵＣＣＨリソースがない場合に実行されてもよい。
【０１００】
イベントｉからイベントｖに関するランダムアクセス手順はプライマリーセルにおいて実行されてもよい。イベントｖｉに関するランダムアクセス手順における第１のステップはセカンダリーセルにおいて実行されてもよい。すなわち、（イベントｖｉ）セカンダリーＴＡＧのための時間調整のために実行されるランダムアクセス手順は、セカンダリーＴＡＧに属するセカンダリーセルにおいて開始される。
【０１０１】
（イベントｉ）ＲＲＣ＿ＩＤＬＥからの初期アクセスのためのランダムアクセス手順は、４ステップコンテンションベースランダムアクセス手順、および、２ステップコンテンションベースランダムアクセス手順を含んでもよい。（イベントｉ）ＲＲＣ＿ＩＤＬＥからの初期アクセスのためのランダムアクセス手順は、非コンテンションベースランダムアクセス手順を含まなくてもよい。（イベントｉ）ＲＲＣ＿ＩＤＬＥからの初期アクセスのためのランダムアクセス手順はＲＲＣによって開始されてもよい。
【０１０２】
（イベントｉｉ）ＲＲＣコネクション再確立のためのランダムアクセス手順は、４ステ
ップコンテンションベースランダムアクセス手順、および、２ステップコンテンションベースランダムアクセス手順を含んでもよい。（イベントｉｉ）ＲＲＣコネクション再確立のためのランダムアクセス手順は、非コンテンションベースランダムアクセス手順を含まなくてもよい。（イベントｉｉ）ＲＲＣコネクション再確立のためのランダムアクセス手順はＲＲＣによって開始されてもよい。
【０１０３】
ランダムアクセス手順が４ステップコンテンションベースランダムアクセス手順を含むことは、４ステップコンテンションベースランダムアクセス手順がサポートされること、４ステップコンテンションベースランダムアクセス手順が有効であること、または、４ステップコンテンションベースランダムアクセス手順が適用可能であることであってもよい。２ステップコンテンションベースランダムアクセス手順、および、非コンテンションベースランダムアクセス手順に対しても同様である。
【０１０４】
基地局装置３（セル）が送信／報知するシステムインフォメーションは、ＰＲＡＣＨ情報、ランダムアクセス情報を含んでもよい。ＰＲＡＣＨ情報は、ＰＲＡＣＨのリソースを示す情報、ランダムアクセスプリアンブルに関する物理ルートシーケンスインデックスｕに関する情報、および、ランダムアクセスプリアンブルのためのサイクリックシフトＣｖに関する情報を含んでもよい。物理ルートシーケンスインデックスｕ、および、サイクリックシフトＣｖは、ランダムアクセスプリアンブルの系列を決定するために用いられる。ランダムアクセス情報は、ランダムアクセスプリアンブルの数を示す情報、コンテンションベースランダムアクセス手順のためのランダムアクセスプリアンブルの数を示す情報を含んでもよい。また、システムインフォメーションは、２ステップコンテンションベースランダムアクセス手順のための情報を含んでもよい。２ステップコンテンションベースランダムアクセス手順のための情報は、セルにおいて２ステップコンテンションベースランダムアクセス手順がサポートされていることを示す情報、２ステップコンテンションベースランダムアクセス手順の第１のステップにおける端末装置１の識別子を送信するためのリソースを示す情報、２ステップコンテンションベースランダムアクセス手順の第１のステップにおける端末装置１の識別子を含むデータの変調方式を示す情報、および／または、ＲＳＲＰ（Reference Signal Received Power）の閾値を示す情報を含んでもよい。こ
こで、システムインフォメーションは、非コンテンションベースランダムアクセス手順の第０のステップのためのランダムアクセスプリアンブルの割り当てを含まない。
【０１０５】
端末装置１は、セルの下りリンク参照信号からＲＳＲＰを測定する。端末装置１は、測定したＲＳＲＰ、および、ＲＳＲＰの閾値に基づいて、２ステップコンテンションベースランダムアクセス手順および４ステップコンテンションベースランダムアクセス手順の何れか一方を開始してもよい。端末装置１は、測定したＲＳＲＰがＲＳＲＰの閾値を超えない場合、４ステップコンテンションベースランダムアクセス手順を開始してもよい。端末装置１は、測定したＲＳＲＰがＲＳＲＰの閾値を超える場合、２ステップコンテンションベースランダムアクセス手順を開始してもよい。
【０１０６】
（イベントｉｉｉ）ハンドオーバのためのランダムアクセス手順は、４ステップコンテンションベースランダムアクセス手順、２ステップコンテンションベースランダムアクセス手順、および、非コンテンションベースランダムアクセス手順を含んでもよい。ハンドオーバコマンドは、上述したＰＲＡＣＨ情報、上述したランダムアクセス情報、上述した２ステップコンテンションベースランダムアクセス手順のための情報、および／または、非コンテンションベースランダムアクセス手順の第０のステップのためのランダムアクセスプリアンブルの割り当てを含んでもよい。
【０１０７】
端末装置１は、ハンドオーバコマンドに含まれる情報に基づいて、４ステップコンテンションベースランダムアクセス手順、２ステップコンテンションベースランダムアクセス
手順、および、非コンテンションベースランダムアクセス手順の何れか１つを開始してもよい。
【０１０８】
端末装置１は、ハンドオーバコマンドにランダムアクセスプリアンブルの割り当てが含まれる場合、非コンテンションベースランダムアクセス手順を開始してもよい。
【０１０９】
端末装置１は、ハンドオーバコマンドにランダムアクセスプリアンブルの割り当てが含まれず、且つ、ハンドオーバコマンドに２ステップコンテンションベースランダムアクセス手順のための情報が含まれる場合、測定したＲＳＲＰ、および、ＲＳＲＰの閾値に基づいて、２ステップコンテンションベースランダムアクセス手順および４ステップコンテンションベースランダムアクセス手順の何れか一方を開始してもよい。
【０１１０】
端末装置１は、ハンドオーバコマンドにランダムアクセスプリアンブルの割り当てが含まれず、且つ、ハンドオーバコマンドに２ステップコンテンションベースランダムアクセス手順のための情報が含まれる場合、測定したＲＳＲＰ、および、ＲＳＲＰの閾値に基づいて、２ステップコンテンションベースランダムアクセス手順および４ステップコンテンションベースランダムアクセス手順の何れか一方を開始してもよい。ここで、端末装置１は、測定したＲＳＲＰがＲＳＲＰの閾値を超えない場合、４ステップコンテンションベースランダムアクセス手順を開始してもよい。ここで、端末装置１は、測定したＲＳＲＰがＲＳＲＰの閾値を超える場合、２ステップコンテンションベースランダムアクセス手順を開始してもよい。
【０１１１】
端末装置１は、ハンドオーバコマンドにランダムアクセスプリアンブルの割り当てが含まれ、且つ、ランダムアクセスプリアンブルの割り当てが第１の所定の値を示す場合、４ステップコンテンションベースランダムアクセス手順を開始してもよい。
【０１１２】
端末装置１は、ハンドオーバコマンドにランダムアクセスプリアンブルの割り当てが含まれ、且つ、ランダムアクセスプリアンブルの割り当てが第２の所定の値を示し、且つ、ハンドオーバコマンドに２ステップコンテンションベースランダムアクセス手順のための情報が含まれる場合、２ステップコンテンションベースランダムアクセス手順を開始してもよい。
【０１１３】
端末装置１は、ハンドオーバコマンドにランダムアクセスプリアンブルの割り当てが含まれず、且つ、ハンドオーバコマンドに２ステップコンテンションベースランダムアクセス手順のための情報が含まれない場合、４ステップコンテンションベースランダムアクセス手順を開始してもよい。
【０１１４】
（イベントｉｖ）ＲＲＣ＿ＣＯＮＮＥＣＴＥＤの間の下りリンクデータアライバルのためのランダムアクセス手順は、４ステップコンテンションベースランダムアクセス手順、および、非コンテンションベースランダムアクセス手順を含んでもよい。（イベントｉｖ）ＲＲＣ＿ＣＯＮＮＥＣＴＥＤの間の下りリンクデータアライバルのためのランダムアクセス手順は、２ステップコンテンションベースランダムアクセス手順を含まなくてもよい。（イベントｉｖ）ＲＲＣ＿ＣＯＮＮＥＣＴＥＤの間の下りリンクデータアライバルのためのランダムアクセス手順は、ＰＤＣＣＨオーダによって開始される。
【０１１５】
ＰＤＣＣＨオーダに含まれるランダムアクセスプリアンブルの割り当てが第１の所定の値以外の値である場合、端末装置１は非コンテンションベースランダムアクセス手順を開始してもよい。ＰＤＣＣＨオーダに含まれるランダムアクセスプリアンブルの割り当てが第１の所定の値である場合、端末装置１は４ステップコンテンションベースランダムアクセス手順を開始してもよい。ＰＤＣＣＨオーダに含まれるランダムアクセスプリアンブル
の割り当てが第２の所定の値であったとしても、端末装置１は４ステップコンテンションベースランダムアクセス手順を開始してもよい。
【０１１６】
（イベントｖ）ＲＲＣ＿ＣＯＮＮＥＣＴＥＤの間の上りリンクデータアライバルのためのランダムアクセス手順は、４ステップコンテンションベースランダムアクセス手順、および、２ステップコンテンションベースランダムアクセス手順を含んでもよい。（イベントｖ）ＲＲＣ＿ＣＯＮＮＥＣＴＥＤの間の上りリンクデータアライバルのためのランダムアクセス手順は、非コンテンションベースランダムアクセス手順を含まなくてもよい。（イベントｖ）ＲＲＣ＿ＣＯＮＮＥＣＴＥＤの間の上りリンクデータアライバルのためのランダムアクセス手順は、ＭＡＣ自身によって開始される。
【０１１７】
（イベントｖｉ）セカンダリーＴＡＧのための時間調整のために実行されるランダムアクセス手順は、ＰＤＣＣＨオーダによって開始される。すなわち、セカンダリーセルにおけるランダムアクセス手順の開始を指示するＰＤＣＣＨオーダに含まれるランダムアクセスプリアンブルの割り当ては第１の所定の値以外の値を示す。
【０１１８】
図１１は、本実施形態におけるイベントとランダムアクセス手順の形態の対応の別の例を示す図である。ランダムアクセス手順は、（イベントＡ）ＲＲＣ、（イベントＢ）ＭＡＣ自身、または、（イベントＣ）ＰＤＣＣＨオーダによって開始される。
【０１１９】
（イベントＡ）ＲＲＣによって開始されるランダムアクセス手順は、４ステップコンテンションベースランダムアクセス手順、２ステップコンテンションベースランダムアクセス手順、および、非コンテンションベースランダムアクセス手順を含んでもよい。
【０１２０】
（イベントＢ）ＭＡＣ自身によって開始されるランダムアクセス手順は、４ステップコンテンションベースランダムアクセス手順、および、２ステップコンテンションベースランダムアクセス手順を含んでもよい。（イベントＢ）ＭＡＣ自身によって開始されるランダムアクセス手順は、非コンテンションベースランダムアクセス手順を含まなくてもよい。
【０１２１】
ＰＤＣＣＨオーダによって開始されるランダムアクセス手順は、４ステップコンテンションベースランダムアクセス手順、非コンテンションベースランダムアクセス手順を含んでもよい。ＰＤＣＣＨオーダによって開始されるランダムアクセス手順は、２ステップコンテンションベースランダムアクセス手順を含まなくてもよい。
【０１２２】
（イベントＣ）ＰＤＣＣＨオーダに基づいてプライマリーセルにおいて開始されるランダムアクセス手順は、４ステップコンテンションベースランダムアクセス手順、非コンテンションベースランダムアクセス手順を含んでもよい。（イベントＣ）ＰＤＣＣＨオーダに基づいてプライマリーセルにおいて開始されるランダムアクセス手順は、２ステップコンテンションベースランダムアクセス手順を含まなくてもよい。
【０１２３】
（イベントＤ）ＰＤＣＣＨオーダに基づいてセカンダリーセルにおいて開始されるランダムアクセス手順は、非コンテンションベースランダムアクセス手順を含んでもよい。（イベントＤ）ＰＤＣＣＨオーダに基づいてセカンダリーセルにおいて開始されるランダムアクセス手順は、４ステップコンテンションベースランダムアクセス手順、および、２ステップコンテンションベースランダムアクセス手順を含まなくてもよい。
【０１２４】
２ステップコンテンションベースランダムアクセス手順の第１のステップにおいて、ランダムアクセスプリアンブルの送信のためのリソースと、端末装置１の識別子のためのリソースは時間多重されてもよい。ランダムアクセスプリアンブルの送信のためのリソース
と、端末装置１の識別子のためのリソースは周波数多重されてもよい。２ステップコンテンションベースランダムアクセス手順の第１のステップにおける端末装置１の識別子を含むデータを、メッセ―ジＸとも称する。メッセージＸは情報ビットを介して送信されてもよく、且つ、チャネル符号化されてもよい。ランダムアクセスプリアンブルの送信のためのリソースは、ＰＲＡＣＨリソースであってもよい。メッセージＸの送信のためのリソースは、ＰＵＳＣＨリソースであってもよい。
【０１２５】
図１２は、本実施形態の２ステップコンテンションベースランダムアクセス手順における、ランダムアクセスプリアンブルの送信のためのリソースのセットと、メッセ―ジＸの送信のための送信パラメータと、ランダムアクセスプリアンブルのグループの対応の一例を示す図である。２ステップコンテンションベースランダムアクセス手順の第１のステップにおいて、ランダムアクセスプリアンブルの送信のためのリソースのセットと、メッセ―ジＸの送信のための送信パラメータと、ランダムアクセスプリアンブルのグループは対応してもよい。図１２において、リソースのセット１２０２、ランダムアクセスプリアンブルのグループ１２１２、および、メッセージＸの送信のための送信パラメータ１２２２が対応している。図１２において、リソースのセット１２０４、ランダムアクセスプリアンブルのグループ１２１４、および、メッセージＸの送信のための送信パラメータ１２２４が対応している。端末装置１がリソースのセット１２０２を選択した場合、端末装置１はリソースのセット１２０２の中からリソースを選択し、且つ、ランダムアクセスプリアンブルのグループ１２１２の中からランダムアクセスプリアンブルを選択し、且つ、選択したリソースを用いて選択したランダムアクセスプリアンブルを送信し、且つ、送信パラメータ１２２２に基づいてメッセージＸを送信する。送信パラメータ１２２２は、複数の送信パラメータセットを含んでもよい。端末装置１は、送信パラメータ１２２２の中から１つの送信パラメータセットを選択してもよい。送信パラメータを、スケジューリング情報とも称する。
【０１２６】
基地局装置は、リソースのセット１２０２を示すための情報、リソースのセット１２０４を示すための情報、ランダムアクセスプリアンブルのグループ１２１２を示すための情報、ランダムアクセスプリアンブルのグループ１２１４を示すための情報、メッセージＸの送信のための送信パラメータ１２２２を示すための情報、および、メッセージＸの送信のための送信パラメータ１２２４を示すための情報を送信してもよい。当該情報は、ＰＤＣＣＨ、または、ＰＤＳＣＨに含まれてもよい。当該情報は、下りリンク制御情報、ＲＲＣシグナリング、ＭＡＣ  ＣＥ、および／または、上位層の信号に含まれてもよい。リソースのセット１２０２、および、リソースのセット１２０４は、異なるセルに対応してもよい。
【０１２７】
ランダムアクセスプリアンブルの送信のためのリソースの複数のセットのうち、何れのセットにおいてランダムアクセス手順を開始するかは、端末装置１によって選択されてもよい。例えば、端末装置１は、下りリンク物理シグナル（同期信号、および／または、下りリンク参照信号）を用いた測定に基づいて、ランダムアクセスプリアンブルの送信のためのリソースの複数のセットの中から１つのセットを選択してもよい。下りリンク物理シグナルを用いた測定は、下りリンクのパスロス、および／または、下りリンク物理シグナルの受信電力の測定であってもよい。下りリンクのパスロスは、下りリンク物理シグナルの送信電力、および、下りリンク物理シグナルの受信電力に基づいて計算されてもよい。
【０１２８】
図１３は、本実施形態の２ステップコンテンションベースランダムアクセス手順における、ランダムアクセスプリアンブル、および、メッセ―ジＸの送信のための送信パラメータの対応の一例を示す図である。ランダムアクセスプリアンブルのグループ１２１２は、ランダムアクセスプリアンブル１２１２Ａ１、１２１２Ｂ１、１２１２Ｃ１を含んでもよい。メッセージＸの送信のための送信パラメータは、送信パラメータ１２２２Ａ１、１２
２２Ｂ１、１２２２Ｃ１を含んでもよい。ランダムアクセスプリアンブル１２１２Ａ１は、送信パラメータ１２２２Ａ１に対応する。ランダムアクセスプリアンブル１２１２Ｂ１は、送信パラメータ１２２２Ｂ１に対応する。ランダムアクセスプリアンブル１２１２Ｃ１は、送信パラメータ１２２２Ｃ１に対応する。端末装置１は、ランダムアクセスプリアンブル、および、送信パラメータのセットを選択してもよい。端末装置１は、ランダムアクセスプリアンブルのグループの中からランダムアクセスプリアンブルを選択し、選択したランダムアクセスプリアンブルに対応する送信パラメータを選択してもよい。端末装置１は、送信パラメータを選択し、選択した送信パラメータに対応するランダムアクセスプリアンブルを選択してもよい。端末装置１は、ランダムアクセスプリアンブルのグループ１２１２の中から、ランダムアクセスプリアンブルをランダムに選択してもよい。端末装置１は、選択したリソースを用いて選択したランダムアクセスプリアンブルを送信し、且つ、選択した送信パラメータに基づいてメッセージＸを送信してもよい。
【０１２９】
図１４は、本実施形態の２ステップコンテンションベースランダムアクセス手順における、ランダムアクセスプリアンブルのグループ、および、メッセ―ジＸの送信のための送信パラメータの対応の一例を示す図である。ランダムアクセスプリアンブルのグループ１２１２は、ランダムアクセスプリアンブルのグループ１２１２Ａ２、１２１２Ｂ２、１２１２Ｃ２を含んでもよい。メッセージＸの送信のための送信パラメータ１２２２は、送信パラメータ１２２２Ａ２、１２２２Ｂ２、１２２２Ｃ２を含んでもよい。ランダムアクセスプリアンブルのグループ１２１２Ａ２は、送信パラメータ１２２２Ａ２に対応する。ランダムアクセスプリアンブルのグループ１２１２Ｂ２は、送信パラメータ１２２２Ｂ２に対応する。ランダムアクセスプリアンブルのグループ１２１２Ｃ２は、送信パラメータ１２２２Ｃ２に対応する。
【０１３０】
端末装置１は、ランダムアクセスプリアンブルのグループ、および、送信パラメータのセットを選択してもよい。端末装置１は、ランダムアクセスプリアンブルを選択し、選択したランダムアクセスプリアンブルが属するグループに対応する送信パラメータを選択してもよい。端末装置１は、ランダムアクセスプリアンブルのグループ１２１２の中から、ランダムアクセスプリアンブルをランダムに選択してもよい。端末装置１は、選択したリソースを用いて選択したランダムアクセスプリアンブルを送信し、且つ、選択した送信パラメータに基づいてメッセージＸを送信してもよい。
【０１３１】
端末装置１は、ランダムアクセスプリアンブルの複数のグループ｛１２１２Ａ２、１２１２Ｂ２、１２１２Ｃ２｝の中から１つのグループを選択し、選択したグループの中からランダムアクセスプリアンブルを選択し、選択したランダムアクセスプリアンブルに対応する送信パラメータを選択してもよい。ここで、端末装置１は、選択したグループの中からランダムアクセスプリアンブルをランダムに選択してもよい。例えば、端末装置１は、下りリンク物理シグナル（同期信号、および／または、下りリンク参照信号）を用いた測定、メッセージＸのサイズ、基地局装置３から受信した情報にって与えられる値Ａ１、および／または、基地局装置３から受信した情報にって与えられる値Ａ２に基づいて、ランダムアクセスプリアンブルの複数のグループ｛１２１２Ａ２、１２１２Ｂ２、１２１２Ｃ２｝の中から１つのグループを選択してもよい。端末装置１は、メッセージＸのサイズが当該値Ａ１より大きいか否か、および／または、下りリンク物理シグナルを用いて測定結果が当該値Ａ２より大きいか否かに基づいて、ランダムアクセスプリアンブルの複数のグループ｛１２１２Ａ２、１２１２Ｂ２、１２１２Ｃ２｝の中から１つのグループを選択してもよい。例えば、端末装置１は、メッセージＸのサイズが当該値Ａ１より大きく、且つ、下りリンク物理シグナルを用いて測定結果が当該値Ａ２より小さい場合、ランダムアクセスプリアンブルのグループ１２１２Ａ２を選択してもよい。例えば、端末装置１は、メッセージＸのサイズが当該値Ａ１と同じ、または、それより小さい場合、または、下りリンク物理シグナルを用いて測定結果が当該値Ａ２と同じ、または、それより大きい場合、
ランダムアクセスプリアンブルのグループ１２１２Ｂ２を選択してもよい。
【０１３２】
ここで、当該値Ａ２は、基地局装置３から受信した情報が示す値、および／または、端末装置１がランダムアクセス手順を実行するサービングセルのための最大送信電力値に基づいて与えられてもよい。ランダムアクセスプリアンブルのグループ１２１２とランダムアクセスプリアンブルのグループ１２１４に対して、値Ａ１と値Ａ２は個別に設定されてもよい。端末装置１は、ランダムアクセスプリアンブルのグループ１２１２に対する値Ａ１、Ａ２を算出するためのパラメータと、ランダムアクセスプリアンブルのグループ１２１４に対する値Ａ１、Ａ２を算出するためのパラメータを個別に設定してもよい。基地局装置３は、当該複数のパラメータを示す情報を送信してもよい。
【０１３３】
メッセージＸの送信のための送信パラメータは、変調方式に関するパラメータＤ１、リソースに関するパラメータＤ２、メッセージＸのサイズ（ビット数）に関するパラメータＤ３、メッセージＸの符号化ビット、または、変調シンボルのスクランブルのために用いられるスクランブル系列の初期化に関するパラメータＤ４、メッセージＸの符号拡散に関するパラメータＤ５、メッセージＸを含むＰＵＳＣＨの送信に関連するＤＭＲＳに関するパラメータＤ６、および／または、送信電力に関するパラメータＤ７を含んでもよい。送信パラメータは、パラメータＤ１からＤ７以外のパラメータを含んでもよい。
【０１３４】
変調方式は、ＱＰＳＫ（Quadrature Phase Shift Keying）、および、ＱＡＭ（Quadrature Amplitude Modulation）を含んでもよい。リソースに関するパラメータＤ２は、サブフレーム、送信帯域幅、および／または、送信周波数に関連してもよい。送信帯域幅、および、送信周波数は、物理リソースブロック、または、サブキャリアによって表現されてもよい。メッセージＸのサイズは、符号化前のメッセージＸの情報ビットの数であってもよい。スクランブル系列は、疑似ランダム系列であってもよい。スクランブル系列は、ゴールド系列、および／または、１つまたは複数のＭ系列によって与えられてもよい。
【０１３５】
端末装置１は、ＤＭＲＳに関するパラメータＤ６に基づいて、ＤＭＲＳを生成する。ＤＭＲＳは、ＤＭＲＳ系列rPUSCHに基づいて与えられる。ＤＭＲＳ系列rPUSCHは、数式（３）によって定義される。r(α)は数式（４）によって与えられるＲＳ系列である。ｗは、
直交カバーコード（orthogonal cover code）である。ｅxは、底がネイピア数 ｅである
指数関数である。ｊは虚数である。αはサイクリックシフトである。ｒ’はベースシーケンスである。ＭＲＳ＿ＳＣは、ベースシーケンスｒ’の長さである。ＭＲＳ＿ＳＣは、１つのＳＣ−ＦＤＭＡシンボルにおけるＤＭＲＳが対応するリソースエレメント（サブキャリア）の数であってもよい。ベースシーケンスは、Ｚａｄｏｆｆ−Ｃｈｕ系列、ゴールド系列、および／または、Ｍ系列に基づいて与えられてもよい。
【０１３６】
【数３】
2020047964.tif 000005
【０１３７】
【数４】
2020047964.tif 000006
ＤＭＲＳに関するパラメータＤ６は、直交カバーコードｗを決定するために用いられるパラメータ、サイクリックシフトαを決定するために用いられるパラメータ、ベースシーケンスｒ’ を決定するために用いられるパラメータ、ベースシーケンスｒ’の長さＭＲ
Ｓ＿ＳＣを決定するために用いられるパラメータ、および／または、ＤＭＲＳが対応するリソース（リソースエレメント）を決定するために用いられるパラメータが含まれてもよい。
【０１３８】
図１５は、本実施形態の２ステップコンテンションベースランダムアクセス手順における、ランダムアクセスプリアンブル、および、メッセ―ジＸの送信のための送信パラメータの対応の別の例を示す図である。ランダムアクセスプリアンブルのグループ１２１２Ａは、ランダムアクセスプリアンブル１２１２Ａ２１、１２１２Ａ２２、１２１２Ａ２３を含んでもよい。メッセージＸの送信のための送信パラメータ１２２２Ａ２は、送信パラメータ１２２２Ａ２１、１２２２Ａ２２、１２２２Ａ２３、１２２２Ａ２４を含んでもよい。ランダムアクセスプリアンブル１２１２Ａ２１は、送信パラメータ１２２２Ａ２１、１２２２Ａ２４に対応する。ランダムアクセスプリアンブル１２１２Ａ２２は、送信パラメータ１２２２Ａ２２、１２２２Ａ２４に対応する。ランダムアクセスプリアンブル１２１２Ａ２３は、送信パラメータ１２２２Ａ２３、１２２２Ａ２４に対応する。１２２２Ａ２４は、グループ１２１２Ａ２に属する全てのランダムアクセスプリアンブルに対応してもよい。
【０１３９】
端末装置１は、ランダムアクセスプリアンブルを選択し、選択したランダムアクセスプリアンブルに対応する送信パラメータを選択してもよい。端末装置１は、ランダムアクセスプリアンブルのグループ１２１２Ａ２の中から、ランダムアクセスプリアンブルをランダムに選択してもよい。端末装置１は、ランダムアクセスプリアンブル１２１２Ａ２１を選択し、選択したランダムアクセスプリアンブル１２１２Ａ２１に対応する送信パラメータ１２２２Ａ２１、および、送信パラメータ１２２２Ａ２４を選択してもよい。端末装置１は、選択したランダムアクセスプリアンブルを送信し、且つ、選択した送信パラメータに基づいてメッセージＸを送信してもよい。
【０１４０】
送信パラメータ１２２２Ａ２１、１２２２Ａ２２、１２２２Ａ２３は上記のパラメータＤ１からＤ６の一部が含んでもよく、且つ、送信パラメータ１２２２Ａ２４は上記のパラメータＤ１からＤ６の残りが含まれてもよい。例えば、送信パラメータ１２２２Ａ２１は、メッセージＸの符号化ビット、または、変調シンボルのスクランブルのために用いられるスクランブル系列の初期化に関するパラメータＤ４、メッセージＸの符号拡散に関するパラメータＤ５、メッセージＸを含むＰＵＳＣＨの送信に関連するＤＭＲＳに関するパラメータＤ６、および／または、送信電力に関するパラメータＤ７を含んでもよい。例えば、送信パラメータ１２２２Ａ２４は、変調方式に関するパラメータＤ１、リソースに関するパラメータＤ２、および／または、メッセージＸのサイズ（ビット数）に関するパラメータＤ３を含んでもよい。送信パラメータ１２２２Ａ２１、１２２２Ａ２２、１２２２Ａ２３、１２２２Ａ２４は、上記のパラメータＤ１からＤ７以外のパラメータを含んでもよい。
【０１４１】
図１３、および、図１４において記載された実施形態は、ランダムアクセスプリアンブルのグループ１２１４、および、送信パラメータ１２２４に対して適用されてもよい。図１５において記載された実施形態は、ランダムアクセスプリアンブルのグループ１２１２Ｂ２、１２１２Ｃ２、および、送信パラメータ１２２２Ｂ２、１２２２Ｃ２に対して適用されてもよい。
【０１４２】
２ステップコンテンションベースランダムアクセス手順の第１のステップにおいて、メッセージＸと一緒にランダムアクセスプリアンブルに関する情報が送信されてもよい。メッセージＸにランダムアクセスプリアンブルに関する情報が含まれてもよい。ランダムアクセスプリアンブルに関する情報は、（情報Ａ）ランダムアクセスプリアンブルのインデックスを示すための情報、（情報Ｂ）ランダムアクセスプリアンブルの送信のためのリソ
ースを示す情報、および／または、（情報Ｃ）ランダムアクセスプリアンブルの系列に関する情報を含んでもよい。２ステップコンテンションベースランダムアクセス手順の第１のステップにおいて、端末装置１は、ＰＲＡＣＨリソースを用いてインデックス１のランダムアクセスプリアンブルを送信し、ＰＵＳＣＨを用いてランダムアクセスプリアンブルのインデックス１を示すための情報Ａを含むメッセージＸを送信してもよい。（情報Ｃ）ランダムアクセスプリアンブルの系列に関する情報は、物理ルートシーケンスインデックス、および／または、サイクリックシフトを示してもよい。
【０１４３】
図１６は、本実施形態における２ステップコンテンションベースランダムアクセス手順の一例を示す図である。図１６の１６００と１６０２において、端末装置１Ａと端末装置１Ｂは、２ステップコンテンションベースランダムアクセス手順を開始する。端末装置１Ａが選択するランダムアクセスプリアンブル１２１２Ａ２１は、端末装置１Ｂが選択するランダムアクセスプリアンブル１２１２Ａ２２とは異なる。しかし、端末装置１Ａが選択するランダムアクセスプリアンブル１２１２Ａ２１が対応する送信パラメータは、端末装置１Ｂが選択するランダムアクセスプリアンブル１２１２Ａ２４が対応する送信パラメータと同じでもよい。当該送信パラメータは１２２２Ａ２４であってもよい。
【０１４４】
１６００において、端末装置１Ａは、ランダムアクセスプリアンブル１２１２Ａ２１を送信する。１６００において、端末装置１Ａは、送信パラメータ１２２２Ａ２４に基づいて、端末装置１Ａの識別子、および、ランダムアクセスプリアンブル１２２２Ａ２１のインデックスを含むメッセージＸを送信する。１６０２において、端末装置１Ｂは、ランダムアクセスプリアンブル１２１２Ａ２２を送信する。１６０２において、端末装置１Ｂは、送信パラメータ１２２２Ａ２４に基づいて、端末装置１Ｂの識別子、および、ランダムアクセスプリアンブル１２２２Ａ２１のインデックスを含むメッセージＸを送信する。
【０１４５】
基地局装置３は、ランダムアクセスプリアンブル１２１２Ａ２１、および、ランダムアクセスプリアンブル１２１２Ａ２２の検出に成功し、端末装置１Ａによって送信されたメッセージＸの受信／検出に成功し、端末装置１Ｂによって送信されたメッセージの受信／検出に失敗した場合、端末装置１Ａの識別子に基づくコンテンションリゾリューションを送信し（１６０４）、且つ、ランダムアクセスプリアンブル１２１２Ａ２２に対応するランダムアクセスレスポンスを送信する（１６０６）。端末装置１Ｂは、ランダムアクセスレスポンスを受信した場合、ランダムアクセスレスポンスに含まれる上りリンクグラントに基づいて、ＰＵＳＣＨを用いて端末装置１Ｂの識別子を送信する（１６０８）。次に、端末装置１Ｂは、コンテンションリゾリューションを受信する（１６１０）。基地局装置３は、端末装置１Ａによって送信されたメッセージＸにランダムアクセスプリアンブル１２１２Ａ２１のインデックスを示す情報が含まれている場合、ランダムアクセスプリアンブル１２１２Ａ２１に対応するランダムアクセスレスポンスを送信しなくてもよい。尚、ランダムアクセスプリアンブルを示す情報は、メッセージＸの符号化ビット、または、変調シンボルのスクランブルのために用いられるスクランブル系列、メッセージＸの符号拡散、および／または、メッセージＸを含むＰＵＳＣＨの送信に関連するＤＭＲＳによって表現されてもよい。
【０１４６】
図１６の１６０４と１６０６において、ランダムアクセスレスポンスとコンテンションリゾリューションは、同じＰＤＳＣＨに含まれてもよい。すなわち、図１６の１６０４と１６０６において、ランダムアクセスレスポンスとコンテンションリゾリューションを含むトランスポートブロックが、ＰＤＳＣＨを用いて送信されてもよい。当該ＰＤＳＣＨのスケジューリングのために、上述したＲＡ−ＲＮＴＩ、または、上述したＸ−ＲＮＴＩによってスクランブルされたＣＲＣが付加されたＤＣＩフォーマットが用いられてもよい。図１７は、本実施形態におけるランダムアクセスレスポンスおよび／またはコンテンションリゾリューションを含むトランスポートブロックの一例を示す図である。図１７におい
て、トランスポートブロックは、ヘッダー１７００、および、ｎ個のＲＡＲ／ＣＲ｛１７２１、１７２２、．．．、１７２ｎ｝を含む。ＲＡＲ／ＣＲは、ランダムアクセスレスポンス、または、コンテンションリゾリューションである。ヘッダー１７００は、ｎ個のサブヘッダー｛１７０１、１７０２、．．．、１７０ｎ｝を含む。ヘッダーのそれぞれは、ＲＡＲ／ＣＲのそれぞれに対応してもよい。例えば、サブヘッダー１７０１は、ＲＡＲ／ＣＲ１７２１に対応してもよい。
【０１４７】
サブヘッダー｛１７０１、１７０２、．．．、１７０ｎ｝のそれぞれは、ランダムアクセスプリアンブルのインデックスを示すランダムアクセスプリアンブル識別子を含んでもよい。サブヘッダー１７０１に２ステップコンテンションベースランダムアクセス手順の第１のステップにおいて送信したランダムアクセスプリアンブルのインデックスを示すランダムアクセスプリアンブル識別子が含まれている場合、端末装置１は当該サブヘッダー１７０１に対応するＲＡＲ／ＣＲ１７２１を確認してもよい。
【０１４８】
サブヘッダーは、当該サブヘッダーが対応するＲＡＲ／ＣＲにランダムアクセスレスポンスが含まれていることを示すためのフラグを含んでもよい。サブヘッダーは、当該サブヘッダーが対応するＲＡＲ／ＣＲにコンテンションリゾリューションリゾリューションが含まれていることを示すためのフラグを含んでもよい。サブヘッダーは、当該サブヘッダーが対応するＲＡＲ／ＣＲに、ランダムアクセスレスポンスおよびコンテンションリゾリューションリゾリューションの何れが含まれているかを示すためのフラグを含んでもよい。端末装置１は、当該フラグに基づいて、ＲＡＲ／ＣＲにランダムアクセスレスポンスおよびコンテンションリゾリューションリゾリューションの何れが含まれるかを特定してもよい。
【０１４９】
サブヘッダーに含まれるフラグが、ＲＡＲ／ＣＲにコンテンションリゾリューションリゾリューションが含まれることを示す場合、当該サブヘッダーにランダムアクセスプリアンブル識別子は含まれなくてもよく、且つ、当該サブヘッダーにメッセージＸの送信のためのリソースのインデックスを示すための情報が含まれてもよい。端末装置１は、サブヘッダー１７０１に２ステップコンテンションベースランダムアクセス手順の第１のステップにおけるメッセージＸの送信のためのリソースのインデックスを示す情報が含まれている場合、端末装置１は当該サブヘッダー１７０１に対応するＲＡＲ／ＣＲ１７２１を確認してもよい。メッセージＸの送信のためのリソースのインデックスは、周波数−時間リソースに対して割り当ててもよい。異なる送信パラメータに対応する異なるリソースに対して、異なるインデックスを割り当ててもよい。
【０１５０】
ＲＡＲ／ＣＲは、当該ＲＡＲ／ＣＲにランダムアクセスレスポンスが含まれていることを示すためのフラグを含んでもよい。ＲＡＲ／ＣＲは、当該ＲＡＲ／ＣＲにコンテンションリゾリューションリゾリューションが含まれていることを示すためのフラグを含んでもよい。ＲＡＲ／ＣＲは、当該ＲＡＲ／ＣＲに、ランダムアクセスレスポンスおよびコンテンションリゾリューションリゾリューションの何れが含まれているかを示すためのフラグを含んでもよい。端末装置１は、当該フラグに基づいて、ＲＡＲ／ＣＲにランダムアクセスレスポンスおよびコンテンションリゾリューションリゾリューションの何れが含まれるかを特定してもよい。
【０１５１】
端末装置１は、サブヘッダーに含まれるランダムアクセスプリアンブル識別子が所定の値にセットされている場合に、当該サブヘッダーが対応するＲＡＲ／ＣＲにコンテンションリゾリューションリゾリューションが含まれていると判断してもよい。所定の値は０でもよい。所定の値は１でもよい。端末装置１は、トランスポートブロックに含まれるヘッダーのフィールドにセットされる値に基づいて、当該トランスポートブロックにコンテンションリゾリューションリゾリューション、および／または、ランダムアクセスレスポン
スが含まれると判断してもよい。
【０１５２】
あるセルにおいて、２ステップコンテンションベースランダムアクセス手順に対応するランダムアクセスプリアンブルのグループは、４ステップコンテンションベースランダムアクセス手順に対応するランダムアクセスプリアンブルのグループと同じでもよい。あるセルにおいて、２ステップコンテンションベースランダムアクセス手順に対応するランダムアクセスプリアンブルの送信のためのリソースのセットは、４ステップコンテンションベースランダムアクセス手順に対応するランダムアクセスプリアンブルの送信のためのリソースのセットと同じでもよい。例えば、図１２における、ランダムアクセスプリアンブルの送信のためのリソースのセット１２０２、１２０４、および、ランダムアクセスプリアンブルのグループ１２１２、１２１４は、４ステップコンテンションベースランダムアクセス手順に対応するランダムアクセスプリアンブルの送信のために用いられてもよい。図１４において説明した、端末装置１によるランダムアクセスプリアンブルのグループの選択方法は、４ステップコンテンションベースランダムアクセス手順に対して適用されてもよい。
【０１５３】
図１８は、本実施形態におけるランダムアクセス手順のためのランダムアクセスプリアンブルのグループの一例を示す図である。図１８において、４ステップコンテンションベースランダムアクセス手順と２ステップコンテンションベースランダムアクセス手順に対するグループの設定は同じである。図１８において、グループ１２１２Ａ２はインデックス６から２０のランダムアクセスプリアンブルを含み、グループ１２１２Ｂ２はインデックス２１から４１のランダムアクセスプリアンブルを含み、且つ、グループ１２１２Ｃ２はインデックス４２から６３のランダムアクセスプリアンブルを含む。端末装置１は、４ステップコンテンションベースランダムアクセス手順の第１のステップにおいてグループ｛１２１２Ａ２、１２１２Ｂ２、１２１２Ｃ２｝の中から１つのグループを選択してもよく、且つ、２ステップコンテンションベースランダムアクセス手順の第１のステップにおいてグループ｛１２１２Ａ２、１２１２Ｂ２、１２１２Ｃ２｝の中から１つのグループを選択してもよい。
【０１５４】
図１８は、本実施形態におけるランダムアクセス手順のためのランダムアクセスプリアンブルのグループの一例を示す図である。図１８において、４ステップコンテンションベースランダムアクセス手順に対するグループの設定は、２ステップコンテンションベースランダムアクセス手順に対するグループの設定と同じである。図１８において、グループ１２１２Ａ２はインデックス６から２０のランダムアクセスプリアンブルを含み、グループ１２１２Ｂ２はインデックス２１から４１のランダムアクセスプリアンブルを含み、且つ、グループ１２１２Ｃ２はインデックス４２から６３のランダムアクセスプリアンブルを含む。端末装置１は、４ステップコンテンションベースランダムアクセス手順の第１のステップにおいてグループ｛１２１２Ａ２、１２１２Ｂ２、１２１２Ｃ２｝の中から１つのグループを選択してもよく、且つ、２ステップコンテンションベースランダムアクセス手順の第１のステップにおいてグループ｛１２１２Ａ２、１２１２Ｂ２、１２１２Ｃ２｝の中から１つのグループを選択してもよい。
【０１５５】
図１９は、本実施形態におけるランダムアクセス手順のためのランダムアクセスプリアンブルのグループの別の例を示す図である。図１９において、４ステップコンテンションベースランダムアクセス手順に対するグループの設定は、２ステップコンテンションベースランダムアクセス手順に対するグループの設定と異なる。図１９において、グループ１２１２Ａ２はインデックス６から２０のランダムアクセスプリアンブルを含み、グループ１２１２Ｂ２はインデックス２１から６３のランダムアクセスプリアンブルを含み、グループ１２１２Ａ２’はインデックス６から４１のランダムアクセスプリアンブルを含み、且つ、グループ１２１２Ｂ２’はインデックス４２から６３のランダムアクセスプリアン
ブルを含む。端末装置１は、４ステップコンテンションベースランダムアクセス手順の第１のステップにおいてグループ｛１２１２Ａ２’、１２１２Ｂ２’｝の中から１つのグループを選択してもよく、且つ、２ステップコンテンションベースランダムアクセス手順の第１のステップにおいてグループ｛１２１２Ａ２、１２１２Ｂ２｝の中から１つのグループを選択してもよい。
【０１５６】
端末装置１は、下りリンク物理シグナル（同期信号、および／または、下りリンク参照信号）を用いた測定、メッセージＸのサイズ、基地局装置３から受信した情報にって与えられる値Ａ１、および／または、基地局装置３から受信した情報にって与えられる値Ａ２に基づいて、ランダムアクセスプリアンブルの複数のグループ｛１２１２Ａ２、１２１２Ｂ２｝の中から１つのグループを選択してもよい。端末装置１は、下りリンク物理シグナル（同期信号、および／または、下りリンク参照信号）を用いた測定、メッセージＸのサイズ、基地局装置３から受信した情報にって与えられる値Ａ３、および／または、基地局装置３から受信した情報にって与えられる値Ａ４に基づいて、ランダムアクセスプリアンブルの複数のグループ｛１２１２Ａ２、１２１２Ｂ２｝の中から１つのグループを選択してもよい。ここで、値Ａ１、値Ａ２、値Ａ３、値Ａ４は個別に設定されてもよい。基地局装置３は、値Ａ１を決定するために用いられる情報、値Ａ２を決定するために用いられる情報、値Ａ３を決定するために用いられる情報、値Ａ４を決定するために用いられる情報を送信してもよい。尚、グループを決定するための方法は、図１４において説明した方法が用いられてもよい。
【０１５７】
図１８、および、図１９において、インデックス０から５のランダムアクセスプリアンブルは、非コンテンションベースランダムアクセス手順において用いられてもよい。
【０１５８】
以下、本実施形態における、端末装置１の種々の態様について説明する。
【０１５９】
（１）本実施形態の第１の態様は、端末装置１であって、ランダムアクセス手順を実行する上位層処理部１４と、物理チャネル（ＰＤＣＣＨオーダ）を受信する受信部１０と、を備え、前記ランダムアクセス手順は、２ステップコンテンションベースランダムアクセス手順、４ステップコンテンションベースランダムアクセス手順、および、非コンテンションベースランダムアクセス手順を含み、前記物理チャネルは、前記４ステップ−コンテンションベースランダムアクセス手順、および、前記非コンテンションベースランダムアクセス手順の何れかの開始を指示し、前記上位層処理部は、前記物理チャネルに基づいて、前記４ステップコンテンションベースランダムアクセス手順、および、前記非コンテンションベースランダムアクセス手順の何れかを開始する。
【０１６０】
（２）本実施形態の第１の態様において、前記上位層処理部１４は、初期アクセス、および、ＲＲＣコネクション再確立のために、前記２ステップコンテンションベースランダムアクセス手順、および、前記４ステップコンテンションベースランダムアクセス手順の何れかを開始する。
【０１６１】
（３）本実施形態の第１の態様において、前記上位層処理部１４は、ハンドオーバのために、前記２ステップコンテンションベースランダムアクセス手順、前記４ステップコンテンションベースランダムアクセス手順、および、前記非コンテンションベースランダムアクセス手順の何れかを開始する。
【０１６２】
（４）本実施形態の第１の態様において、前記上位層処理部１４は、ＭＡＣ層が前記ランダムアクセス手順を開始する場合、前記２ステップコンテンションベースランダムアクセス手順、および、前記４ステップコンテンションベースランダムアクセス手順の何れかを開始する。
【０１６３】
（５）本実施形態の第１の態様において、前記物理チャネルがセカンダリーＴＡＧに属するセカンダリーセルにおける前記ランダムアクセス手順の開始を指示する場合、前記物理チャネルは前記非コンテンションベースランダムアクセス手順の開始を指示する。
【０１６４】
（６）本実施形態の第２の態様は、端末装置１であって、２ステップ−ランダムアクセス手順を制御する上位層処理部１４と、前記２ステップ−ランダムアクセス手順の第１のステップとして、ランダムアクセスプリアンブルとデータを送信する送信部１０と、を備え、前記データは、前記ランダムアクセスプリアンブルに関する情報を含み、前記ランダムアクセスプリアンブルに関する情報は、以下の情報Ａから情報Ｃの一部、または、全部を含む。
・情報Ａ：前記ランダムアクセスプリアンブルのインデックスを示すための情報
・情報Ｂ：前記ランダムアクセスプリアンブルの送信のためのリソースを示すための情報・情報Ｃ：前記ランダムアクセスプリアンブルの系列に関する情報
（７）本実施形態の第３の態様は、基地局装置３であって、２ステップ−ランダムアクセス手順を制御する上位層処理部３４と、前記２ステップ−ランダムアクセス手順の第１のステップとして、ランダムアクセスプリアンブルとデータを受信する受信部３０と、を備え、前記データは、前記ランダムアクセスプリアンブルに関する情報を含む。
【０１６５】
前記ランダムアクセスプリアンブルに関する情報は、以下の情報Ａから情報Ｃの一部、または、全部を含む
・情報Ａ：前記ランダムアクセスプリアンブルのインデックスを示すための情報
・情報Ｂ：前記ランダムアクセスプリアンブルの送信のためのリソースを示すための情報・情報Ｃ：前記ランダムアクセスプリアンブルの系列に関する情報
（８）本実施形態の第４の態様は、端末装置１であって、２ステップ−ランダムアクセス手順を制御する上位層処理部１４と、前記２ステップ−ランダムアクセス手順の第１のステップとして、ランダムアクセスプリアンブルとデータを送信する送信部１０と、を備え、（１）前記データを含む物理チャネルのスクランブリングのために用いられるスクランブル系列の初期化に関するパラメータと（２）前記データを含む前記物理チャネルに関連する復調参照信号（ＤＭＲＳ）の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される。
【０１６６】
（９）本実施形態の第５の態様は、基地局装置３であって、２ステップ−ランダムアクセス手順を制御する上位層処理部３４と、前記２ステップ−ランダムアクセス手順の第１のステップとして、ランダムアクセスプリアンブルとデータを受信する受信部３０と、を備え、（１）前記データを含む物理チャネルのスクランブリングのために用いられるスクランブル系列と（２）前記データを含む前記物理チャネルに関連する復調参照信号の生成のために用いられるパラメータの一方、または、両方は、（３）前記ランダムアクセスプリアンブルのインデックスと（４）前記ランダムアクセスプリアンブルの送信のためのリソースの一方、または、両方に基づいて決定される。
【０１６７】
（１０）本実施形態の第６の態様は、端末装置１であって、２ステップ−ランダムアクセス手順を制御する上位層処理部１４と、前記２ステップ−ランダムアクセス手順の第１のステップとして、ランダムアクセスプリアンブルとデータを送信する送信部１０と、を備え、前記上位層処理部１４は、（１）ランダムアクセスプリアンブルの複数のグループのうちの何れか１つのグループを選択し、（２）前記選択したグループの中から前記ランダムアクセスプリアンブルを選択し、（３）複数の送信パラメータの中から前記選択したグループに対応する送信パラメータを選択し、前記データの送信は、前記選択した送信パ
ラメータに基づく。
【０１６８】
本実施形態の第２から第５の態様において、データはメッセージＸであってもよい。本実施形態の第３および第４の態様において、前記データを含む物理チャネルのスクランブリングのために用いられるスクランブル系列の初期化に関するパラメータは、メッセージＸの符号化ビットまたは変調シンボルのスクランブルのために用いられるスクランブル系列の初期化に関するパラメータＤ４であってもよい。本実施形態の第３および第４の態様において、前記データを含む前記物理チャネルに関連する復調参照信号の生成のために用いられるパラメータは、メッセージＸを含むＰＵＳＣＨの送信に関連するＤＭＲＳに関するパラメータＤ６であってもよい。本実施形態の第６の態様において、送信パラメータは、上述したパラメータＤ１からＤ７を含んでもよい、また、パラメータＤ１からＤ７以外のパラメータを含んでもよい。
【０１６９】
これにより、端末装置および基地局装置が互いに、効率的にランダムアクセス手順を実行することができる。
【０１７０】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１７２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１７３】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１７４】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラム
との組み合わせで実現できるものであってもよい。
【０１７５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１７６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１７７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７８】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2020047964.tif 000007
【図２】
2020047964.tif 000008
【図３】
2020047964.tif 000009
【図４】
2020047964.tif 000010
【図５】
2020047964.tif 000011
【図６】
2020047964.tif 000012
【図７】
2020047964.tif 000013
【図８】
2020047964.tif 000014
【図９】
2020047964.tif 000015
【図１０】
2020047964.tif 000016
【図１１】
2020047964.tif 000017
【図１２】
2020047964.tif 000018
【図１３】
2020047964.tif 000019
【図１４】
2020047964.tif 000020
【図１５】
2020047964.tif 000021
【図１６】
2020047964.tif 000022
【図１７】
2020047964.tif 000023
【図１８】
2020047964.tif 000024
【図１９】
2020047964.tif 000025